(57)【要約】【課題】誤使用のコインが、簡単に、確実に、スムーズに返却口に戻り、寸法の異なる二種類のコインを利用でき、使い勝手に優れ、構成簡素で、耐久性に優れ、量産に適し、経済的なコイン投入装置を提供する。【解決手段】回転盤６前部シャフト７後部シャフト８からなるコイン収容回転体５と、ケース１とを有し、回転盤６は、上部に寸法の異なるコイン投入口１０、１１を前後方向に適数並設し、下部に排出口１３を、中央部分に連通路１２を設け、コイン投入口１０、１１の所定位置に、停止突起１５を夫々突設し、所定のコインより小さなコインの投入時に、連通路１２、排出口１３を経て、返却口２６に戻るよう構成し、回転盤６の所定位置に回転阻止用突起１４を突設し、少なくとも所定コインの未投入状態で、回転阻止用突起１４が揺動部材２１に当接して、回転盤６の回転を阻止するよう構成する。【選択図】図２
0003104648.tif 000002
【実用新案登録請求の範囲】
【請求項１】
カプセルに夫々収納されている複数種類の適宜玩具を販売するための自動販売機のコイン投入装置であって、自動販売機の正面の適宜位置に装着されるコイン投入装置のケースと、このケースに回転自在に装着されるコイン収容回転体とを有し、ケースは、正面がわ上部にコイン投入用開口部が設けられ、正面がわ下部に誤使用コインの返却口が設けられ、コイン収容回転体は、ケース内に回転自在に収容される略厚肉円盤状の回転盤と、この回転盤の前部中央に連設されて、ケース前方に突出すると共に、その先端部分に回転用摘みが固着される前部シャフトと、回転盤の後部中央に連設されて、カプセル入り玩具の供給機構を作動させる連繋歯車が固着される後部シャフトとからなり、回転盤の上部には、寸法の異なる二種類のコインに対応したコイン投入口を前後方向に適数並設し、回転盤の下部には、排出口を設け、回転盤の中央部分には、コイン投入口と排出口とを結ぶような連通路を設け、コイン投入口の左右側部の下方の所定位置には、停止突起が夫々突設され、所定のコインをコイン投入口に投入した場合は、停止突起にコインが当接、係止されて、コインの上部が所定寸法だけコイン投入口より突出するように構成され、一方、所定のコインより小さなコインをコイン投入口に投入した場合は、停止突起に当接、係止されず、連通路、排出口を経て、ケースの返却口に戻るように構成され、回転盤の外周部分の所定位置に回転阻止用突起を突設し、この回転阻止用突起は、少なくとも所定のコインがコイン投入口に投入されていない状態に於いて、回転盤が所定方向に回転せしめられた時に、ケース内に揺動自在に装着されている揺動部材の先端部分に当接して、回転盤のそれ以上の回転を阻止できるよう構成したことを特徴とするカプセル入玩具用自動販売機のコイン投入装置。
【請求項２】
前記寸法の異なる二種類のコインに対応したコイン投入口にあっては、一方を所定の硬貨に対応した寸法のコイン投入口とし、他方を前記所定の硬貨と寸法が異なるように製造したオリジナルのコインに対応した寸法のコイン投入口としたことを特徴とする請求項１記載のカプセル入玩具用自動販売機のコイン投入装置。
【請求項３】
一方のコイン投入口或いは他方のコイン投入口を複数設け、または一方のコイン投入口及び他方のコイン投入口夫々を複数設け、これらのコイン投入口を前後方向に並設したことを特徴とする請求項１または請求項２記載のカプセル入玩具用自動販売機のコイン投入装置。
【考案の詳細な説明】
【技術分野】
【０００１】
本考案は、略球体状のカプセル内に夫々収納されている複数種類の適宜玩具を販売するための自動販売機のコイン投入装置であって、主に、幼児等を連れた家族が出かけたり或いは立ち寄るような、例えば、遊園地や、百貨店や、ファミリーレストランや、他の飲食店や、ガソリンスタンドや、各種イベント会場や、その他の適宜店舗等に設置されるカプセル入玩具用自動販売機のコイン投入装置に関するものである。
【背景技術】
【０００２】
従来、この種のカプセル入玩具用自動販売機のコイン投入装置としては、例えば、特許文献１や、特許文献２に示すようなものが開示されている。
そして、これらのコイン投入口にあっては、一種類のコイン（例えば、１００円硬貨）のみを投入できるように構成されている。
【０００３】
【特許文献１】登録実用新案第３０３８９１２号
【特許文献２】特開２０００−２４５９５１
【考案の開示】
【考案が解決しようとする課題】
【０００４】
ところが、従来のコイン投入装置にあっては、所定のコインより大きなコインは、コイン投入口に入らないため誤使用はないが、所定のコインより小さなコインは、コイン投入口に入ってしまうため、誤使用が生じると共に、一旦投入された誤使用のコインが簡単に返却できるようには構成されていない難点等があった。
また、一種類のコインだけしか利用できないため、使い勝手が悪いと共に、種々のサービスを提供するにしても興趣に乏しい等の難点もあった。
【課題を解決するための手段】
【０００５】
そこで、本考案は、所定のコインより小さなコインを誤使用した場合、この誤使用のコインが簡単に返却できるようにし、また、二種類のコインを利用できるように構成して、使い勝手に優れ、興趣に富んだ種々のサービスを提供できるようにし、しかも、構成が簡素で、耐久性に優れ、量産に適し、経済的なカプセル入玩具用自動販売機のコイン投入装置を提供できるようにすべく案出されたものである。
【０００６】
しかして、請求項１記載のコイン投入装置にあっては、カプセルに夫々収納されている複数種類の適宜玩具を販売するための自動販売機のコイン投入装置であって、自動販売機の正面の適宜位置に装着されるコイン投入装置のケース１と、このケース１に回転自在に装着されるコイン収容回転体５とを有し、ケース１は、正面がわ上部にコイン投入用開口部２５が設けられ、正面がわ下部に誤使用コインの返却口２６が設けられ、コイン収容回転体５は、ケース１内に回転自在に収容される略厚肉円盤状の回転盤６と、この回転盤６の前部中央に連設されて、ケース１前方に突出すると共に、その先端部分に回転用摘み２０が固着される前部シャフト７と、回転盤６の後部中央に連設されて、カプセル入り玩具の供給機構を作動させる連繋歯車３２が固着される後部シャフト８とからなり、回転盤６の上部には、寸法の異なる二種類のコインに対応したコイン投入口１０、１１を前後方向に適数並設し、回転盤６の下部には、排出口１３を設け、回転盤６の中央部分には、コイン投入口１０、１１と排出口１３とを結ぶような連通路１２を設け、コイン投入口１０、１１の左右側部の下方の所定位置には、停止突起１５が夫々突設され、所定のコインをコイン投入口１０、１１に投入した場合は、停止突起１５にコインが当接、係止されて、コインの上部が所定寸法だけコイン投入口１０、１１より突出するように構成され、一方、所定のコインより小さなコインをコイン投入口１０、１１に投入した場合は、停止突起１５に当接、係止されず、連通路１２、排出口１３を経て、ケース１の返却口２６に戻るように構成され、回転盤６の外周部分の所定位置に回転阻止用突起１４を突設し、この回転阻止用突起１４は、少なくとも所定のコインがコイン投入口１０、１１に投入されていない状態に於いて、回転盤６が所定方向に回転せしめられた時に、ケース１内に揺動自在に装着されている揺動部材２１の先端部分に当接して、回転盤６のそれ以上の回転を阻止できるよう構成する手段を採用した。
【０００７】
また、請求項２記載のコイン投入装置にあっては、前記寸法の異なる二種類のコインに対応したコイン投入口１０、１１にあっては、一方を所定の硬貨に対応した寸法のコイン投入口１０とし、他方を前記所定の硬貨と寸法が異なるように製造したオリジナルのコインに対応した寸法のコイン投入口１１とする手段を採用した。
【０００８】
更に、請求項３記載のコイン投入装置にあっては、一方のコイン投入口１０或いは他方のコイン投入口１１を複数設け、または一方のコイン投入口１０及び他方のコイン投入口１１夫々を複数設け、これらのコイン投入口１０、１１を前後方向に並設する手段を採用した。
【考案の効果】
【０００９】
従って、本考案の請求項１記載のコイン投入装置によれば、所定のコインより小さなコインをコイン投入口１０、１１に誤って投入した場合、この誤使用のコインが、簡単に、確実に、且つスムーズに連通路１２、排出口１３を経て、ケース１の返却口２６に戻るようになる。
しかも、コイン投入装置自体は、構成が簡素で、耐久性に優れ、量産に適し、経済的なものとなる。
【００１０】
更に、少なくとも所定のコインがコイン投入口１０、１１に未投入の場合、回転盤６を所定方向に回転せしめた時に、回転阻止用突起１４が揺動部材２１の先端部分に当接して、回転盤６の回転を確実に阻止できるようになる。
【００１１】
加えて、寸法の異なる二種類のコインを利用できるようになり、使い勝手に優れたものとなる。
【００１２】
また、本考案の請求項２記載のコイン投入装置によれば、所定の硬貨と、この所定の硬貨と寸法が異なるように製造したオリジナルのコインのどちらを利用することも可能となり、使い勝手に優れたものとなる。
【００１３】
特に、幼児等を連れた家族が出かけたり或いは立ち寄るような、例えば、遊園地や、百貨店や、ファミリーレストランや、他の飲食店や、ガソリンスタンドや、各種イベント会場や、その他の適宜店舗等で用意したオリジナルの（専用の）コインの場合、店がわのサービスの一つとしてオリジナルのコインを提供して利用することが可能となり、種々のサービスに最適で、興趣に富むサービスが可能となるカプセル入玩具用自動販売機のコイン投入装置となる。
【００１４】
更に、本考案の請求項３記載のコイン投入装置によれば、コイン投入口１０、１１の数を自由に設定でき、寸法の異なる二種類のコインを複数利用できるようになり、使い勝手に優れたものとなる。
【００１５】
特に、投入するコインの数を増やすことができるようになり、提供されるカプセル入玩具の金額的なバリエーションを広げることができるようになる。
また、オリジナルの（専用の）コインの投入口の数が増えた場合は、その投入口の数だけオリジナルのコインが必要となる。ひいては、必要な数のオリジナルのコインが集まるまで、店のサービスを受けるようになる。
【考案を実施するための最良の形態】
【００１６】
以下、本考案を図示例に基づいて説明すると、次の通りである。
本考案は、略球体状のカプセル内に夫々収納されている複数種類の適宜玩具類（例えば、ミニチュアフィギア、ミニチュアキャラクター商品、ミニチュア模型、装身玩具、或いは、その他の玩具等）を販売するための自動販売機に付設されているコイン投入装置であって、主に、幼児等を連れた家族が出かけたり或いは立ち寄るような、例えば、遊園地や、百貨店や、ファミリーレストランや、他の飲食店や、ガソリンスタンドや、各種イベント会場や、その他の適宜店舗等に設置されるカプセル入玩具用自動販売機に適したコイン投入装置である。
【００１７】
具体的には、カプセル入玩具用自動販売機の正面の適宜位置に装着されるコイン投入装置のケース１と、このケース１に回転自在に装着されるコイン収容回転体５とを有するものである。
【００１８】
そして、ケース１は、その正面がわ上部にコイン投入用開口部２５が設けられ、その正面がわ下部に誤使用コインの返却口２６が設けられている。
【００１９】
また、コイン収容回転体５は、ケース１内に回転自在に収容される略厚肉円盤状の回転盤６と、この回転盤６の前部中央に連設されて、ケース１前方に突出すると共に、その先端部分に回転用摘み２０が固着される前部シャフト７と、回転盤６の後部中央に連設されて、カプセル入り玩具の供給機構を作動させる連繋歯車３２が固着される後部シャフト８とからなる。
【００２０】
更に、回転盤６の上部には、寸法の異なる二種類のコインに対応したコイン投入口１０、１１を前後方向に適数並設し、回転盤６の下部には、排出口１３を設け、回転盤６の中央部分には、コイン投入口１０、１１と排出口１３とを結ぶような連通路１２を設けてある。
【００２１】
しかも、コイン投入口１０、１１の左右側部の下方の所定位置には、停止突起１５が夫々突設されており、所定のコインをコイン投入口１０、１１に投入した場合は、この停止突起１５にコインが当接、係止されて、コインの上部が所定寸法だけコイン投入口１０、１１より突出するように構成されている。一方、コイン投入口１０、１１に対応した所定のコインより小さなコインをコイン投入口１０、１１に誤って投入した場合は、停止突起１５に当接、係止されず、連通路１２、排出口１３を経て、ケース１の正面がわに設けた返却口２６に戻るように構成されている。
【００２２】
それから、回転盤６の外周部分の所定位置には、回転阻止用突起１４が突設されており、この回転阻止用突起１４は、少なくとも所定のコインがコイン投入口１０、１１に投入されていない状態（未投入状態）に於いて、回転盤６が所定方向に回転せしめられた時に、ケース１内に揺動自在に装着されている揺動部材２１の先端部分に当接して、回転盤６のそれ以上の回転を阻止できるよう構成されている。
【実施例】
【００２３】
前記ケース１は、例えば、適宜金属材（或いは、適宜合成樹脂材、適宜複合材でも良い）によって構成されており、カプセル入玩具用自動販売機の正面部分に装着されている。しかも、その正面がわ上部には、回転盤６のコイン投入口１０、１１に臨むようなコイン投入用開口部２５が設けられており、その正面がわ下部には、誤使用コインが取出し易く形成された返却口２６が設けられている。
【００２４】
図中２は、例えば、適宜合成樹脂材（或いは、適宜金属材、適宜複合材でも良い）によって構成され、ケース１内の前後方向略中央部分に配される中間取付板で、この中間取付板２は、ケース１前部の正面板と略平行となるように配されると共に、コイン収容回転体５の回転盤６をケース１内に保持できるように構成されている。
【００２５】
図中３は、例えば、適宜合成樹脂材（或いは、適宜金属材、適宜複合材でも良い）によって構成され、ケース１の後部開放部分を塞ぐように装着される後部取付板で、この後部取付板３は、ケース１前部の正面板や中間取付板２と略平行となるように配されている。  
【００２６】
前記コイン収容回転体５は、例えば、適宜金属材（或いは、適宜複合材でも良い）によって構成されており、このコイン収容回転体５の回転盤６は、ケース１の正面板と中間取付板２の間に介装され、コイン収容回転体５の前部シャフト７は、ケース１の正面板に穿設した軸孔に軸支され、コイン収容回転体５の後部シャフト８は、中間取付板２に穿設した軸孔と、後部取付板３に設けた軸孔（軸受部）に軸支されており、前部シャフト７の先端に固定した回転用摘み２０の回転操作（例えば、右回り回転操作）によって、スムーズに回転できるように構成されている。
【００２７】
前記回転盤６は、例えば、その上部が平坦に形成され、この平坦部分に寸法の異なる二種類のコインに対応した略細長矩形状のコイン投入口１０、１１が前後方向に並設されている。
更に、その下部には誤使用コイン（コイン投入口１０、１１より小さなコイン）の排出口１３が設けられ、この排出口１３とコイン投入口１０、１１とを結ぶような連通路１２が内部に設けられている。
【００２８】
前記停止突起１５は、例えば、極めて小さな突起状に構成されており、所定のコインがコイン投入口１０、１１に投入された場合に、このコインを確実に係止でき、しかも、所定のコインより僅かに小さなコインが投入された場合に、停止突起１５に当接、係止されず、連通路１２、排出口１３を経て、返却口２６に確実に戻るように構成されている。
【００２９】
ところで、前記コイン投入口１０、１１は、例えば、一方（或いは、他方）を所定の硬貨（例えば、１００円硬化、或いは５００円硬化）に対応した寸法のコイン投入口１０とし、他方（或いは、一方）を前記所定の硬貨と寸法が異なるように（例えば、大きい寸法とする、或いは、小さい寸法とする、或いは、厚みを変える）製造したオリジナルの（専用の）コイン（或いはメダル）に対応した寸法のコイン投入口１１としても良い。
【００３０】
更に、前記コイン投入口１０、１１は、例えば、図６に示すように、一方のコイン投入口１０或いは他方のコイン投入口１１を複数設け、または一方のコイン投入口１０及び他方のコイン投入口１１夫々を複数設け、これらのコイン投入口１０、１１を前後方向に並設したものであっても良い。
【００３１】
前記回転阻止用突起１４は、コイン投入口１０、１１の近傍（回転盤６の所定回転方向に於けるコイン投入口１０、１１の後方がわ近傍）に配されている。
すなわち、この回転阻止用突起１４は、所定のコインがコイン投入口１０、１１に投入されている状態で回転盤６が所定方向に回転せしめられた時に、コイン投入口１０、１１から突出している所定のコインによって、押圧バネの弾発力に抗して揺動部材２１が揺動せしめられている間に、揺動部材２１の先端部分に当接することなくこの部分を通過できて、回転盤６の回転を阻止することがないように構成されたものである（図４参照）。また、回転阻止用突起１４は、所定のコインをコイン投入口１０、１１に投入していない時、或いは、所定のコインより極めて僅かに小さなコインを投入してある時に於いて、回転盤６が所定方向に回転せしめられた時に、コイン投入口１０、１１からコインが突出していないために、或いは、コインの突出量が少ないために、押圧バネの弾発力に抗して揺動部材２１を所定位置まで揺動せしめられず、揺動部材２１の先端部分に当接してしまい、回転盤６の回転を阻止するように構成されている。
【００３２】
前記揺動部材２１は、例えば、ケース１内に適数（１つでも良いし、或いは、図示例のように２つ配してあっても良い。）内装されるもので、基端部分が略円柱状に形成されると共に、この部分がケース１に装着されて、回転盤６の回転中心がわに向って揺動できるように構成されている。しかも、揺動部材２１夫々には、適宜弾発バネの弾発力が付勢されており、回転盤６の回転中心がわに向って常時揺動するように構成されている。
尚、揺動部材２１は、寸法の異なる二種類のコイン投入口１０、１１が図６の（イ）に示すように一つ宛設けてある場合は、コイン投入口１０、１１のどちらかに投入されているコインで揺動できるよう一体的に構成されたものが利用される。
また、揺動部材２１は、寸法の異なる二種類のコイン投入口１０、１１が図６の（ロ）、（ハ）、（ニ）に示すように複数設けてある場合は、例えば、その数に応じて幅方向に分割した揺動部材片を重合したようなものが利用され、この分割されて重合状態となっている複数の揺動部材片相互は、夫々が揺動自在となると共に、相互が適宜連繋状態となっており、所定数のコインがコイン投入口１０、１１のどちらかに投入されている状態で、分割された揺動部材片全てが同じように揺動できるよう構成されたものが利用される。一方、所定数のコインがコイン投入口１０、１１のどちらかに投入されていない誤投入状態では、分割された揺動部材片の内、誤投入対応部分が揺動しないように構成されている。
ところで、揺動部材２１は、例えば、適宜軸ピン等を介してケース１内に揺動自在に装着されたものであっても良い。
【００３３】
図中２７は、ケース１の側部下方に設けられたコイン移動口で、このコイン移動口２７は、所定のコインがコイン投入口１０、１１に投入されている状態で回転盤６が所定方向に回転せしめられ、二つの揺動部材２１を通過した後に、コイン投入口１０、１１内のコインが自動的に落下してカプセル入玩具用自動販売機内にスムーズに移動できるよう構成したものである（図５参照）。
【００３４】
図中２８は、ケース１内下部に設けられたガイド段部で、このガイド段部２８は、回転盤６の回転中心を中心とするような円弧状に形成されており、コイン投入口１０、１１内のコインが斜め下向き及び下向きの時に脱落しないように、コインをスムーズにガイドできるよう構成されたものである。
【００３５】
図中３０は、例えば、コイン収容回転体５の後部シャフト８に装着される逆転防止歯車で、この逆転防止歯車３０には、後部取付板３に装着したストッパー３１が適宜捩りコイルバネの弾発力によって常時当接されており、コイン収容回転体５が逆回転（左回転）するのを確実に阻止できるように構成したものである。
【００３６】
前記連繋歯車３２は、例えば、コイン収容回転体５の後部シャフト８の後端部分に固着され、コイン収容回転体５が一回転したときに、カプセル入り玩具の適宜供給機構を作動させて、一つのカプセル入玩具が自動販売機の取出し口から取出せるようにしたものである。
【００３７】
ところで、コイン投入装置の具体的構成、ケース１の具体的構成、形状、寸法、材質、中間取付板２の具体的構成、形状、寸法、材質、配設位置、後部取付板３の具体的構成、形状、寸法、材質、配設位置、コイン収容回転体５の具体的構成、形状、寸法、材質、回転盤６の具体的構成、形状、寸法、材質、前部シャフト７の具体的構成、形状、寸法、材質、後部シャフト８の具体的構成、形状、寸法、材質、コイン投入口１０、１１の具体的構成、形状、寸法、数、配設位置、連通路１２の具体的構成、形状、寸法、排出口１３の具体的構成、形状、寸法、配設位置、回転阻止用突起１４の具体的構成、形状、寸法、材質、配設位置、停止突起１５の具体的構成、形状、寸法、数、配設位置、回転用摘み２０の具体的構成、形状、寸法、材質、揺動部材２１の具体的構成、形状、寸法、材質、数、配設位置、配設状態、コイン投入用開口部２５の具体的構成、形状、寸法、配設位置、返却口２６の具体的構成、形状、寸法、配設位置、コイン移動口２７の具体的構成、形状、寸法、配設位置、ガイド段部２８の具体的構成、形状、寸法、配設位置、逆転防止歯車３０の具体的構成、形状、寸法、材質、配設位置、ストッパー３１の具体的構成、形状、寸法、材質、配設位置、連繋歯車３２の具体的構成、形状、寸法、材質、配設位置等は、図示例のもの等に限定されることなく適宜自由に設定、変更できるものである。
【図面の簡単な説明】
【００３８】
【図１】本考案のコイン投入装置を例示する分解斜視図である。
【図２】本考案のコイン投入装置を例示する部分縦断側面図である。
【図３】本考案のコイン投入装置の作動状態を例示する一部切欠背面図である。
【図４】本考案のコイン投入装置の作動状態を例示する一部切欠背面図である。
【図５】本考案のコイン投入装置の作動状態を例示する一部切欠背面図である。
【図６】本考案のコイン投入装置のコイン投入口を例示する部分平面図である。
【図７】本考案のコイン投入装置を用いた自動販売機を例示する斜視図である。
【符号の説明】
【００３９】
１      ケース                ２      中間取付板
３      後部取付板
５      コイン収容回転体      ６      回転盤
７      前部シャフト          ８      後部シャフト
１０    コイン投入口          １１    コイン投入口
１２    連通路                １３    排出口
１４    回転阻止用突起        １５    停止突起
２０    回転用摘み            ２１    揺動部材
２５    コイン投入用開口部    ２６    返却口
２７    コイン移動口          ２８    ガイド段部
３０    逆転防止歯車          ３１    ストッパー
３２    連繋歯車
【図１】
0003104648.tif 000003
【図２】
0003104648.tif 000004
【図３】
0003104648.tif 000005
【図４】
0003104648.tif 000006
【図５】
0003104648.tif 000007
【図６】
0003104648.tif 000008
【図７】
0003104648.tif 000009